(57)【要約】【課題】装飾シート間で模様の連続性を確保しつつ、装飾シート同士の配置の自由度を向上させることができる装飾シートを提供する。【解決手段】装飾シートは、同一の模様パターン２がロール方向Ｒに沿って繰り返し配置された装飾シートであって、模様パターン２は、装飾シート同士をロール方向Ｒに直交する幅方向Ｗに並べた際に装飾シート間で模様を連続させる端部パターン３を有し、端部パターン３は、模様パターン２内において、ロール方向Ｒに沿って繰り返し配置されている。【選択図】図２
2016204991.tif 000002
【特許請求の範囲】
【請求項１】
同一の模様パターンが第一方向に沿って繰り返し配置された装飾シートであって、
前記模様パターンは、前記装飾シート同士を前記第一方向に直交する第二方向に並べた際に前記装飾シート間で模様を連続させる端部パターンを有し、
前記端部パターンは、前記模様パターン内において、前記第一方向に沿って繰り返し配置されている、装飾シート。
【発明の詳細な説明】
【技術分野】
【０００１】
本発明は、装飾シートに関する。
【背景技術】
【０００２】
従来から、壁等の表面装飾として、長尺の装飾シートが用いられている。この装飾シートでは、特定の模様パターンが長手方向に繰り返し配置されている。そして、複数の装飾シートを並べて配置することで、全体として統一された意匠性を持たせている（例えば、特許文献１参照）。
【先行技術文献】
【特許文献】
【０００３】
【特許文献１】特開２００３−８０８７０号公報
【発明の概要】
【発明が解決しようとする課題】
【０００４】
しかしながら、上述したような装飾シートでは、装飾シート間で模様の連続性を確保する必要があるため、並置する装飾シートを模様パターンのリピートピッチよりも小さいピッチで長手方向にずらすことができない。すなわち、装飾シート同士の配置の自由度が制限されていた。
【０００５】
そこで、本発明は、装飾シート間で模様の連続性を確保しつつ、装飾シート同士の配置の自由度を向上させることができる装飾シートを提供することを目的とする。
【課題を解決するための手段】
【０００６】
本発明に係る装飾シートは、同一の模様パターンが第一方向に沿って繰り返し配置された装飾シートであって、模様パターンは、装飾シート同士を第一方向に直交する第二方向に並べた際に装飾シート間で模様を連続させる端部パターンを有し、端部パターンは、模様パターン内において、第一方向に沿って繰り返し配置されている。
【０００７】
本発明に係る装飾シートによれば、端部パターンは、模様パターン内において、第一方向に沿って繰り返し配置されている。すなわち、端部パターンは、模様パターンのリピートピッチよりも小さいピッチで第一方向に沿って繰り返し配置されている。このため、並置する装飾シートを端部パターンのピッチで第一方向にずらしても、装飾シート間で模様の連続性を確保することができる。これにより、装飾シート同士の配置の自由度を向上させることができる。また、複数の装飾シートの全体で表現される模様に多様性を持たせることができる。
【発明の効果】
【０００８】
本発明によれば、装飾シート間で模様の連続性を確保しつつ、装飾シート同士の配置の自由度を向上させることができる。
【図面の簡単な説明】
【０００９】
【図１】一実施形態に係る装飾シートを示す図である。
【図２】図１に示す装飾シートの模様パターンの詳細図である。
【図３】図１に示す装飾シートを切り出して並べて配置した状態を示す図である。
【図４】図１に示す装飾シートを切り出して並べて配置した状態を示す図である。
【発明を実施するための形態】
【００１０】
以下、図面を参照して、本発明に係る装飾シートの実施形態を説明する。なお、各図において同一又は相当する要素については同一の符号を付し、重複する説明を省略する。
【００１１】
図１は、一実施形態に係る装飾シートを示す図である。装飾シート１は、例えば壁、床、天井、又はガラス等の表面装飾として使用される。図１に示すように、当初、装飾シート１は、長尺のシートであり、ロール状に巻かれた状態となっている。装飾シート１の材料としては、例えば、塩化ビニル樹脂、ポリエステル樹脂、又はポリオレフィン系樹脂等の樹脂材が挙げられる。
【００１２】
装飾シート１の表面には、同一の模様パターン２がロール方向（第一方向）Ｒに沿ってリピートピッチＰ１で繰り返し配置されている。リピートピッチＰ１は、ロール方向Ｒに直交する幅方向（第二方向）Ｗにおける装飾シート１の幅よりも十分に大きい。装飾シート１の幅は、例えば９０ｃｍ程度であり、リピートピッチＰ１は、例えば９ｍ程度である。
【００１３】
図２に示すように、模様パターン２は、複数（この例では３つ）の模様２Ａ，２Ｂ，２Ｃから構成されている。模様２Ａ，２Ｂ，２Ｃは、ロール方向Ｒに沿ってピッチＰ２で並べられている。模様２Ａ，２Ｂ，２Ｃは、複数の直線とこれらが交わる複数の交点とで構成された模様である。模様２Ａ，２Ｂ，２Ｃは、互いに異なる模様となっている。すなわち、模様２Ａ，２Ｂ，２Ｃでは、複数の直線及び複数の交点の配置等がそれぞれ異なっている。
【００１４】
模様パターン２は、複数（この例では６つ）の同一の端部パターン３を有している。言い換えると、模様２Ａ，２Ｂ，２Ｃが、同一の端部パターン３をそれぞれ有している。端部パターン３は、装飾シート１同士を幅方向Ｗに並べた際に装飾シート１間で模様を連続させる。
【００１５】
端部パターン３は、幅方向Ｗにおける装飾シート１の端縁に形成される直線（一次元）の模様パターンである。この例において、端部パターン３は、ロール方向Ｒに沿って不規則に並べられたドット３Ａ〜３Ｆの集合体である。端部パターン３は、幅方向Ｗにおける模様２Ａ，２Ｂ，２Ｃの両端部にそれぞれ配置されている。したがって、幅方向Ｗにおける模様パターン２の一端側においては、３つの同一の端部パターン３が、ロール方向Ｒに沿って繰り返し配置されている。その一方で、幅方向Ｗにおける模様パターン２の他端側においては、３つの同一の端部パターン３が、ロール方向Ｒに沿って繰り返し配置されている。このように、同一の端部パターン３は、模様パターン２内において、ロール方向Ｒに沿って繰り返し配置されている。端部パターン３は、ロール方向Ｒに沿って、模様パターン２のリピートピッチＰ１よりも小さいピッチＰ２で繰り返し配置されている。
【００１６】
ドット３Ａ〜３Ｆのそれぞれからは、装飾シート１の中央側に向かって、模様を構成する直線が延びている。模様２Ａにおける一方の端部パターン３と他方の端部パターン３とは、幅方向Ｗに互いに対向している。すなわち、端部パターン３，３のドット３Ａ〜３Ｆ同士は、幅方向Ｗにそれぞれ対向している。同様に、模様２Ｂにおける一方の端部パターン３と他方の端部パターン３とは、幅方向Ｗに互いに対向している。また、模様２Ｃにおける一方の端部パターン３と他方の端部パターン３とは、幅方向Ｗに互いに対向している。なお、ドット３Ａ〜３Ｆは、ロール方向Ｒに沿って不規則に並べられずに、規則的に等ピッチでロール方向Ｒに沿って並べられてもよい。
【００１７】
続いて、図３及び図４を用いて、装飾シート１の設置について説明する。ここでは、装飾シート１を壁面に設置する場合について例示する。通常、壁面の幅は、１枚の装飾シート１の幅よりも広い。このため、まず、ロール状に巻かれた装飾シート１（図１参照）から複数（この例では３枚）の装飾シート１を切り出し、続いて、切り出した装飾シート１同士を壁面に沿うように幅方向Ｗに並べて配置する。このとき、装飾シート１間で模様を連続させるために、装飾シート１の隣り合う端部パターン３同士をロール方向Ｒに一致させて並べる。より具体的には、隣り合う端部パターン３同士のドット３Ａ〜３Ｆがロール方向Ｒで一致するように装飾シート１を並べる。その後、並置した装飾シート１を壁面に固定する。固定手段としては、例えば接着剤又は接着テープ等が挙げられる。
【００１８】
このとき、図３に示すように、並置された装飾シート１同士における隣り合う模様を同一とすることができる。具体的には、並置された装飾シート１同士において、ロール方向Ｒの一端側（図３の上側）の模様をすべて模様２Ａとし、ロール方向Ｒの中央側（図３の中央側）の模様をすべて模様２Ｂとし、ロール方向Ｒの他端側（図３の下側）の模様をすべて模様２Ｃとすることができる。
【００１９】
その一方で、図４に示すように、並置された装飾シート１同士における隣り合う模様を異ならせることもできる。具体的には、並置された装飾シート１同士において、ロール方向Ｒの一端側（図４の上側）の模様を幅方向Ｗの一端側（図４の右側）から順に模様２Ａ、模様２Ｂ、模様２Ｃとし、ロール方向Ｒの中央側（図４の中央側）の模様を幅方向Ｗの一端側から順に模様２Ｂ、模様２Ｃ、模様２Ａとし、ロール方向Ｒの他端側（図４の下側）の模様を幅方向Ｗの一端側（図４の右側）から順に模様２Ｃ、模様２Ａ、模様２Ｂとすることができる。なお、図４は、隣り合う模様を異ならせるための一例であって、隣り合う模様を異ならせるための他の模様配置が適用されてもよい。
【００２０】
以上説明したように、本実施形態に係る装飾シート１によれば、端部パターン３は、模様パターン２内において、ロール方向Ｒに沿って繰り返し配置されている。すなわち、端部パターン３は、模様パターン２のリピートピッチＰ１よりも小さいピッチＰ２でロール方向Ｒに沿って繰り返し配置されている。このため、並置する装飾シート１を端部パターン３のピッチＰ２でロール方向Ｒにずらしても、装飾シート１間で模様の連続性を確保することができる。これにより、並置された装飾シート１同士の隣り合う模様を同一とすることもできるし（図３参照）、並置された装飾シート１同士の隣り合う模様を異ならせることもできる（図４参照）。すなわち、装飾シート１同士の配置の自由度を向上させることができる。このように、装飾シート１同士の配置の自由度を向上させることで、並置された装飾シート１の全体で表現される模様に多様性を持たせることができる。
【００２１】
これに対し、模様パターン２に同一の端部パターン３がロール方向Ｒに沿って繰り返し配置されていない場合、装飾シート１間で模様の連続性を確保するためには、並置する装飾シート１を模様パターン２のリピートピッチＰ１でロール方向Ｒにずらす必要がある。この場合、並置された装飾シート１同士の隣り合う模様を同一とすることはできるが、並置された装飾シート１同士の隣り合う模様を異ならせることはできない。すなわち、装飾シート１同士の配置の自由度が制限される。このため、並置された装飾シート１の全体で表現される模様に多様性を持たせることもできない。
【００２２】
また、装飾シート１の隣り合う端部パターン３同士をロール方向Ｒに一致させるために、壁からはみ出る部分を切り捨てる必要がある。この点、本実施形態では、模様パターン２に同一の端部パターン３がロール方向Ｒに沿って繰り返し配置されているため、切り捨てる最大長さを端部パターン３のピッチＰ２に抑制することができる。これに対し、模様パターンに同一の端部パターン３がロール方向Ｒに沿って繰り返し配置されていない場合、切り捨てる最大長さが模様パターン２のリピートピッチＰ１となる。このように、本実施形態では、端部パターン３が、模様パターン２内において、ロール方向Ｒに沿って繰り返し配置されているので、切り捨てる最大長さを低減することができる。
【００２３】
以上、本発明の好適な実施形態について説明したが、本発明は上記実施形態に限定されるものではない。例えば、端部パターン３は、ドットの集合体に限られず、幅方向Ｗにおける装飾シート１の端縁に形成される直線（一次元）の模様パターンであればどのようなものであってもよい。
【００２４】
また、模様２Ａ，２Ｂ，２Ｃは、直線及びその交点で構成されたものに限られず、曲線、三角形、四角形、円形、又はこれらの複合体からなる模様であってもよい。更には、文字、画像、又はこれらの複合体を含むようなものであってもよい。
【００２５】
また、装飾シート１の材料としては、樹脂材に限られず、紙、布、不織布、金属箔、これらの積層体、又はこれらの複合体等であってもよい。
【００２６】
なお、並置された装飾シート１を壁面等に固定する方法は、接着剤に限られず、用途に応じた公知の固定手段を用いればよい。
【００２７】
また、装飾シート１は、建築物の内壁、外壁、扉内外面等の建築物の内外装材、車両内外装材、壁紙、壁面パネル、間仕切り、屋外、又は屋内等の大型の広告等、様々な用途に適用することができる。
【符号の説明】
【００２８】
１…装飾シート、２…模様パターン、３…端部パターン、Ｒ…ロール方向（第一方向）、Ｗ…幅方向（第二方向）。
【図１】
2016204991.tif 000003
【図２】
2016204991.tif 000004
【図３】
2016204991.tif 000005
【図４】
2016204991.tif 000006